(57)【要約】【課題】製造コストの増大を抑制しやすい薬剤散布機を提供する。【解決手段】薬剤を貯留する薬剤タンク１５と、薬剤を散布する薬剤散布部と、薬剤タンク１５に貯留された薬剤を薬剤散布部へ送る薬剤搬送機構４と、作業者が搭乗可能であると共に、運転座席５１を有する運転部と、運転部の有する運転部フレーム７１に連結された支持ステー７２と、を備え、薬剤散布部は、複数のブームを有しており、薬剤搬送機構４は、１つの流入口と、複数の排出口８２Ｌ、８２Ｃ、８２Ｒと、を含む分水器８を有しており、分水器８は、流入口から受け入れた薬剤流れを複数の薬剤流れに分割すると共に、複数の排出口８２Ｌ、８２Ｃ、８２Ｒから薬剤を排出するように構成されており、分水器８は、支持ステー７２に支持されている。【選択図】図４
2020150907.tif 000002
【特許請求の範囲】
【請求項１】
薬剤を貯留する薬剤タンクと、
薬剤を散布する薬剤散布部と、
前記薬剤タンクに貯留された薬剤を前記薬剤散布部へ送る薬剤搬送機構と、
作業者が搭乗可能であると共に、運転座席を有する運転部と、
前記運転部の有する運転部フレームに連結された支持ステーと、を備え、
前記薬剤散布部は、複数のブームを有しており、
前記薬剤搬送機構は、１つの流入口と、複数の排出口と、を含む分水器を有しており、
前記分水器は、前記流入口から受け入れた薬剤流れを複数の薬剤流れに分割すると共に、前記複数の排出口から薬剤を排出するように構成されており、
前記分水器は、前記支持ステーに支持されている薬剤散布機。
【請求項２】
前記分水器は、分水器固定ボルトによって前記支持ステーに締結されており、
前記支持ステーは、前記分水器固定ボルトを挿入可能な長孔を有しており、
前記分水器は、前記支持ステーに接当するボス部を有しており、
前記分水器固定ボルトの挿入されるめねじ部が、前記ボス部に形成されている請求項１に記載の薬剤散布機。
【請求項３】
前記薬剤搬送機構は、複数の搬送管と、入力プーリに入力される回転動力により駆動すると共に薬剤を圧送する薬剤ポンプと、を有しており、
前記入力プーリは、前記運転座席の下方に配置されており、
前記複数の搬送管は、それぞれ、前記複数の排出口に接続しており、
前記運転座席の下方における前記入力プーリよりも上側の空間に設けられると共に、前記複数の搬送管を支持する管支持部を備える請求項１または２に記載の薬剤散布機。
【請求項４】
前記管支持部は、前記運転座席における機体左右方向一方側部分の下方に位置する第１支持部と、前記運転座席における機体左右方向他方側部分の下方に位置する第２支持部と、を有しており、
前記第１支持部は、前記入力プーリの上方に配置されており、
機体上下方向において、前記第１支持部の位置と、前記第２支持部の位置と、は異なっている請求項３に記載の薬剤散布機。
【請求項５】
前記分水器は、前記複数の排出口に対応する複数の操作レバーを有しており、
前記操作レバーは、機体左右方向に沿う揺動軸芯周りに揺動することにより、第１姿勢と、第２姿勢と、の間で姿勢変更可能であり、
前記操作レバーが前記第１姿勢であるとき、前記操作レバーは機体前後方向に沿う姿勢であると共に、対応する前記排出口から薬剤が排出され、
前記操作レバーが前記第２姿勢であるとき、前記操作レバーは機体上下方向に沿う姿勢であると共に、対応する前記排出口からの薬剤の排出が停止される請求項１から４の何れか一項に記載の薬剤散布機。
【発明の詳細な説明】
【技術分野】
【０００１】
本発明は、薬剤を貯留する薬剤タンクと、薬剤を散布する薬剤散布部と、を備える薬剤散布機に関する。
【背景技術】
【０００２】
上記のような薬剤散布機として、例えば、特許文献１に記載のものが既に知られている。この薬剤散布機（特許文献１では「自走式防除機」）は、作業者が搭乗可能であると共に、運転座席を有する運転部を備えている。この運転部は、機体フレーム（特許文献１では「メインフレーム」）に支持されている。
【０００３】
また、この薬剤散布機における薬剤散布部（特許文献１では「防除ブーム」）は、複数のブーム（特許文献１では「センターブーム」及び「サイドブーム」）を有している。
【先行技術文献】
【特許文献】
【０００４】
【特許文献１】特開２０１８−５４号公報
【発明の概要】
【発明が解決しようとする課題】
【０００５】
特許文献１には、薬剤タンクに貯留された薬剤を薬剤散布部へ送るための構成については詳述されていない。
【０００６】
ここで、特許文献１に記載の薬剤散布機において、薬剤タンクに貯留された薬剤を薬剤散布部へ送る薬剤搬送機構を備える構成が考えられる。さらに、この薬剤搬送機構が、１つの流入口と、複数の排出口と、を含む分水器を有する構成が考えられる。
【０００７】
この分水器は、流入口から受け入れた薬剤流れを複数の薬剤流れに分割すると共に、複数の排出口から薬剤を排出する。排出口の個数とブームの個数とが一致していれば、薬剤タンクからの薬剤流れが、ブームの個数に対応した数の薬剤流れに分割されることとなる。
【０００８】
以上の構成において、さらに、分水器が運転部に備えられている構成が考えられる。
【０００９】
ここで、分水器の支持構造によっては、製造コストが増大することが想定される。
【００１０】
例えば、機体フレームの上面から上方へ延びるステーを設けると共に、そのステーに分水器を支持させる構成では、ステーが比較的大きくなりがちである。これにより、製造コストが増大する。
【００１１】
本発明の目的は、製造コストの増大を抑制しやすい薬剤散布機を提供することである。
【課題を解決するための手段】
【００１２】
本発明の特徴は、薬剤を貯留する薬剤タンクと、薬剤を散布する薬剤散布部と、前記薬剤タンクに貯留された薬剤を前記薬剤散布部へ送る薬剤搬送機構と、作業者が搭乗可能であると共に、運転座席を有する運転部と、前記運転部の有する運転部フレームに連結された支持ステーと、を備え、前記薬剤散布部は、複数のブームを有しており、前記薬剤搬送機構は、１つの流入口と、複数の排出口と、を含む分水器を有しており、前記分水器は、前記流入口から受け入れた薬剤流れを複数の薬剤流れに分割すると共に、前記複数の排出口から薬剤を排出するように構成されており、前記分水器は、前記支持ステーに支持されていることにある。
【００１３】
本発明であれば、支持ステーは、運転部フレームに連結されている。そのため、運転部フレームのうち、分水器の近傍の部位から、分水器まで延びるように支持ステーを構成することにより、支持ステーが比較的小さくなりやすい。その結果、製造コストの増大を抑制しやすい。
【００１４】
即ち、本発明であれば、製造コストの増大を抑制しやすい薬剤散布機を実現できる。
【００１５】
さらに、本発明において、前記分水器は、分水器固定ボルトによって前記支持ステーに締結されており、前記支持ステーは、前記分水器固定ボルトを挿入可能な長孔を有しており、前記分水器は、前記支持ステーに接当するボス部を有しており、前記分水器固定ボルトの挿入されるめねじ部が、前記ボス部に形成されていると好適である。
【００１６】
この構成によれば、支持ステーにおいてボス部の固定される位置が、長孔に沿って調節可能となる。そのため、ボス部の位置に組み付け誤差が生じた場合に、この誤差を吸収することができる。
【００１７】
しかも、ボス部にめねじ部が形成されているため、ボス部を支持ステーに接当させ、分水器固定ボルトを締め付けるだけで、支持ステーに分水器を固定することができる。従って、分水器を支持ステーに容易に固定することができる。
【００１８】
さらに、本発明において、前記薬剤搬送機構は、複数の搬送管と、入力プーリに入力される回転動力により駆動すると共に薬剤を圧送する薬剤ポンプと、を有しており、前記入力プーリは、前記運転座席の下方に配置されており、前記複数の搬送管は、それぞれ、前記複数の排出口に接続しており、前記運転座席の下方における前記入力プーリよりも上側の空間に設けられると共に、前記複数の搬送管を支持する管支持部を備えると好適である。
【００１９】
薬剤散布機において、運転座席の下方に比較的小さな空間が存在する場合がある。この空間には、比較的大きな部材を配置することはできない。
【００２０】
ここで、上記の構成によれば、複数の搬送管が、運転座席の下方の空間を通る状態で配置される。これにより、運転座席の下方の空間を有効利用することができる。その結果、薬剤散布機のサイズがコンパクトになりやすい。
【００２１】
しかも、管支持部は入力プーリよりも上側に設けられている。そのため、複数の搬送管が、入力プーリよりも上側の空間を通る状態で配置される。これにより、複数の搬送管が入力プーリに干渉する事態を回避できる。
【００２２】
さらに、本発明において、前記管支持部は、前記運転座席における機体左右方向一方側部分の下方に位置する第１支持部と、前記運転座席における機体左右方向他方側部分の下方に位置する第２支持部と、を有しており、前記第１支持部は、前記入力プーリの上方に配置されており、機体上下方向において、前記第１支持部の位置と、前記第２支持部の位置と、は異なっていると好適である。
【００２３】
この構成によれば、第１支持部の位置と、第２支持部の位置と、の機体上下方向における位置関係を適宜設定することにより、複数の搬送管のうち、第１支持部及び第２支持部の近傍部分の姿勢を、複数の搬送管の柔軟性や重量等の特性に応じた適切な姿勢にすることができる。
【００２４】
さらに、本発明において、前記分水器は、前記複数の排出口に対応する複数の操作レバーを有しており、前記操作レバーは、機体左右方向に沿う揺動軸芯周りに揺動することにより、第１姿勢と、第２姿勢と、の間で姿勢変更可能であり、前記操作レバーが前記第１姿勢であるとき、前記操作レバーは機体前後方向に沿う姿勢であると共に、対応する前記排出口から薬剤が排出され、前記操作レバーが前記第２姿勢であるとき、前記操作レバーは機体上下方向に沿う姿勢であると共に、対応する前記排出口からの薬剤の排出が停止されると好適である。
【００２５】
この構成によれば、薬剤の排出及び排出停止を、操作レバーの直感的な操作によって切り替えることが可能となる。
【図面の簡単な説明】
【００２６】
【図１】薬剤散布機の左側面図である。
【図２】薬剤散布機の平面図である。
【図３】薬剤散布機の平面図である。
【図４】支持ステー等の構成を示す平面図である。
【図５】支持ステー等の構成を示す縦断正面図である。
【図６】支持ステー等の構成を示す縦断右側面図である。
【図７】支持ステー及び分水器の構成を示す分解斜視図である。
【図８】薬剤搬送機構の構成を示す平面図である。
【図９】薬剤搬送機構の構成を示す平面図である。
【図１０】管支持部等の構成を示す縦断背面図である。
【図１１】管支持部等の構成を示す縦断左側面図である。
【発明を実施するための形態】
【００２７】
本発明を実施するための形態について、図面に基づき説明する。尚、以下の説明においては、図１から図４、図６、図８、図９、図１１に示す矢印Ｆの方向を「前」、矢印Ｂの方向を「後」として、図２から図５、図８から図１０に示す矢印Ｌの方向を「左」、矢印Ｒの方向を「右」とする。また、図１、図５、図６、図１０、図１１に示す矢印Ｕの方向を「上」、矢印Ｄの方向を「下」とする。
【００２８】
〔薬剤散布機の全体構成〕
図１から図３に示すように、乗用型の薬剤散布機Ａは、左右の前輪１１、左右の後輪１２、機体フレーム１３、運転部１４、薬剤タンク１５、肥料散布部１６、エンジン１７、静油圧式無段変速機１８、ギヤ式変速機１９を備えている。
【００２９】
また、乗用型の薬剤散布機Ａは、薬剤搬送機構４を備えている。
【００３０】
機体フレーム１３は、左右の前輪１１及び左右の後輪１２により支持されている。
【００３１】
エンジン１７は、機体フレーム１３に支持されている。エンジン１７からの動力は、静油圧式無段変速機１８及びギヤ式変速機１９によって変速され、左右の前輪１１及び左右の後輪１２に伝達される。これにより、左右の前輪１１及び左右の後輪１２が駆動する。そして、薬剤散布機Ａは、左右の前輪１１及び左右の後輪１２によって自走可能である。
【００３２】
運転部１４は、機体フレーム１３に支持されている。また、運転部１４には、作業者が搭乗可能である。
【００３３】
運転部１４は、キャビン３を有している。そして、キャビン３の内部には、運転座席５１及びステアリングホイール５２が設けられている。
【００３４】
運転座席５１には、作業者が着座可能である。また、ステアリングホイール５２は、運転部１４において、運転座席５１よりも前側に設けられている。作業者は、ステアリングホイール５２を操作することにより、薬剤散布機Ａの進行方向を変化させることができる。
【００３５】
尚、静油圧式無段変速機１８及びギヤ式変速機１９は、運転部１４の下方に位置している。
【００３６】
また、薬剤散布機Ａは、梯子状の乗降ステップ５を備えている。乗降ステップ５は、運転部１４から下側へ延びている。作業者は、地上から、乗降ステップ５を登り、運転部１４に搭乗できる。また、作業者は、運転部１４から、乗降ステップ５を下り、地上へ降りることができる。
【００３７】
薬剤タンク１５は、機体フレーム１３に支持されていると共に、機体後部に配置されている。また、薬剤タンク１５は、薬剤を貯留する。
【００３８】
尚、本実施形態において、薬剤タンク１５に貯留される薬剤は、殺虫剤である。しかしながら、本発明はこれに限定されない。例えば、薬剤タンク１５に貯留される薬剤は、殺菌剤であっても良いし、殺虫殺菌剤であっても良いし、除草剤であっても良い。
【００３９】
肥料散布部１６は、機体フレーム１３に支持されている。また、肥料散布部１６は、圃場に肥料を散布することができる。
【００４０】
また、薬剤散布機Ａは、薬剤散布部２を備えている。薬剤散布部２は、機体フレーム１３に支持されていると共に、中央ブーム２０（本発明に係る「ブーム」に相当）、第１サイドブーム２１（本発明に係る「ブーム」に相当）、第２サイドブーム２２（本発明に係る「ブーム」に相当）を有している。
【００４１】
このように、薬剤散布部２は、複数のブームを有している。
【００４２】
中央ブーム２０は、運転部１４よりも前側に設けられていると共に、機体左右方向に延びている。また、第１サイドブーム２１は、中央ブーム２０の左端部に接続している。また、第２サイドブーム２２は、中央ブーム２０の右端部に接続している。
【００４３】
図２及び図３に示すように、第１サイドブーム２１及び第２サイドブーム２２は、それぞれ、格納姿勢と、散布姿勢と、の間で姿勢変更可能に構成されている。尚、格納姿勢とは、平面視において機体前後方向に沿う姿勢である。また、散布姿勢とは、平面視において機体左右方向に沿う姿勢である。
【００４４】
図１及び図２においては、格納姿勢の第１サイドブーム２１及び第２サイドブーム２２が示されている。また、図３においては、散布姿勢の第１サイドブーム２１及び第２サイドブーム２２が示されている。
【００４５】
薬剤タンク１５に貯留された薬剤は、薬剤搬送機構４によって、中央ブーム２０、第１サイドブーム２１、第２サイドブーム２２へ送られる。即ち、薬剤搬送機構４は、薬剤タンク１５に貯留された薬剤を薬剤散布部２へ送る。そして、中央ブーム２０、第１サイドブーム２１、第２サイドブーム２２は、薬剤タンク１５からの薬剤を、圃場に散布することができる。
【００４６】
即ち、薬剤散布機Ａは、第１サイドブーム２１及び第２サイドブーム２２が散布姿勢である状態で、圃場を走行することにより、圃場に薬剤を散布しながら走行することが可能である。
【００４７】
このように、薬剤散布部２は、薬剤タンク１５に貯留された薬剤を散布する。
【００４８】
また、図２に示すように、薬剤散布機Ａは、燃料タンク６１を備えている。燃料タンク６１は、燃料を貯留する。燃料タンク６１に貯留された燃料は、エンジン１７へ送られる。
【００４９】
〔分水器を支持するための構成〕
図８及び図９に示すように、薬剤搬送機構４は、分水器８を有している。
【００５０】
図４から図７に示すように、分水器８は、流入口８１、左排出口８２Ｌ（本発明に係る「排出口」に相当）、中央排出口８２Ｃ（本発明に係る「排出口」に相当）、右排出口８２Ｒ（本発明に係る「排出口」に相当）を有している。
【００５１】
このように、薬剤搬送機構４は、１つの流入口８１と、左排出口８２Ｌ及び中央排出口８２Ｃ及び右排出口８２Ｒと、を含む分水器８を有している。
【００５２】
分水器８は、流入口８１から受け入れた薬剤流れを、複数の薬剤流れに分割するように構成されている。そして、分水器８は、左排出口８２Ｌ、中央排出口８２Ｃ、右排出口８２Ｒから薬剤を排出するように構成されている。
【００５３】
尚、本実施形態において、分水器８は、流入口８１から受け入れた薬剤流れを、３つの薬剤流れに分割するように構成されている。
【００５４】
また、運転部１４は、運転部フレーム７１を有している。運転部フレーム７１は、キャビン３のフレームである。即ち、運転部フレーム７１に囲われた空間に、運転座席５１及びステアリングホイール５２が配置されている。
【００５５】
運転部フレーム７１は、第１フレーム部７１ａ及び第２フレーム部７１ｂを有している。第１フレーム部７１ａは、運転部１４における右端部に位置している。また、第２フレーム部７１ｂは、機体左右方向において、第１フレーム部７１ａと、運転座席５１と、の間に位置している。
【００５６】
また、図４から図６に示すように、薬剤散布機Ａは、支持ステー７２を備えている。支持ステー７２は、運転部フレーム７１のうち、運転座席５１の近傍部位に連結されている。
【００５７】
詳述すると、支持ステー７２は、第１部位７４及び第２部位７５を有している。図５に示すように、第１部位７４は、正面視において、第１フレーム部７１ａの左端面と、第２フレーム部７１ｂの右端面と、に亘る状態で設けられている。そして、第２部位７５は、第１部位７４の左下部から下方へ延びる状態で設けられている。
【００５８】
第１部位７４の右端部は、第１フレーム部７１ａの左端面に溶接によって固定されている。また、第２部位７５の左端部は、第２フレーム部７１ｂの右端面に溶接によって固定されている。
【００５９】
このように、薬剤散布機Ａは、運転部１４の有する運転部フレーム７１に連結された支持ステー７２を備えている。
【００６０】
図７に示すように、第１部位７４の上端部には、２つの長孔７２ａが形成されている。２つの長孔７２ａは、それぞれ、分水器固定ボルト７３が挿入可能であるように構成されている。
【００６１】
このように、支持ステー７２は、分水器固定ボルト７３を挿入可能な長孔７２ａを有している。
【００６２】
また、分水器８は、２つのボス部８３を有している。図４、図６、図７に示すように、各ボス部８３は、第１部位７４に接当する。そして、図７に示すように、めねじ部８３ａが、各ボス部８３に形成されている。めねじ部８３ａには、分水器固定ボルト７３が挿入される。
【００６３】
このように、分水器８は、支持ステー７２に接当するボス部８３を有している。また、分水器固定ボルト７３の挿入されるめねじ部８３ａが、ボス部８３に形成されている。
【００６４】
そして、分水器８は、分水器固定ボルト７３によって支持ステー７２に締結されている。
【００６５】
以上の構成により、分水器８は、支持ステー７２に支持されている。
【００６６】
〔薬剤搬送機構の構成〕
図８及び図９に示すように、薬剤搬送機構４は、複数の搬送管４１、入力プーリ４２、薬剤ポンプ４３、調圧装置４４、第１配管４５、第２配管４６、第３配管４７、戻し配管４８、攪拌配管４９、ストレーナ６２、ストレーナホース６８を有している。
【００６７】
図７に示すように、複数の搬送管４１の一端部は、それぞれ、左排出口８２Ｌ、中央排出口８２Ｃ、右排出口８２Ｒに接続している。また、図８に示すように、複数の搬送管４１の他端部は、それぞれ、中央ブーム２０、第１サイドブーム２１、第２サイドブーム２２に接続している。
【００６８】
尚、左排出口８２Ｌと第１サイドブーム２１とが、搬送管４１により接続されている。また、中央排出口８２Ｃと中央ブーム２０とが、搬送管４１により接続されている。また、右排出口８２Ｒと第２サイドブーム２２とが、搬送管４１により接続されている。
【００６９】
入力プーリ４２は、薬剤ポンプ４３に取り付けられている。また、図１０に示すように、駆動プーリ３１と入力プーリ４２とに亘って、伝動ベルト３２が巻回されている。
【００７０】
駆動プーリ３１には、エンジン１７からの動力が伝達される。また、駆動プーリ３１の回転動力は、伝動ベルト３２を介して、入力プーリ４２に伝達される。そして、入力プーリ４２が回転することにより、薬剤ポンプ４３が駆動する。
【００７１】
また、図９に示すように、薬剤タンク１５の下端部とストレーナ６２とがストレーナホース６８を介して接続されている。また、ストレーナ６２と薬剤ポンプ４３とが第１配管４５を介して接続されている。また、薬剤ポンプ４３と調圧装置４４とが第２配管４６を介して接続されている。また、図５及び図７に示すように、調圧装置４４と分水器８とが第３配管４７を介して接続されている。
【００７２】
尚、第３配管４７は、分水器８における流入口８１に接続している。
【００７３】
そして、薬剤ポンプ４３が駆動すると、薬剤が、薬剤タンク１５の下端部からストレーナホース６８を介してストレーナ６２へ圧送される。ストレーナ６２において、薬剤は、ろ過される。
【００７４】
ろ過された薬剤は、ストレーナ６２から第１配管４５を介して薬剤ポンプ４３へ圧送される。さらに、薬剤は、薬剤ポンプ４３から第２配管４６を介して調圧装置４４へ圧送される。調圧装置４４において、薬剤の圧力が調節される。
【００７５】
そして、薬剤は、調圧装置４４から第３配管４７を介して分水器８における流入口８１へ圧送される。分水器８において、流入口８１から受け入れられた薬剤流れは、３つの薬剤流れに分割される。そして、薬剤は、左排出口８２Ｌ、中央排出口８２Ｃ、右排出口８２Ｒから排出される。
【００７６】
左排出口８２Ｌから排出された薬剤は、搬送管４１を介して第１サイドブーム２１へ圧送される。また、中央排出口８２Ｃから排出された薬剤は、搬送管４１を介して中央ブーム２０へ圧送される。また、右排出口８２Ｒから排出された薬剤は、搬送管４１を介して第２サイドブーム２２へ圧送される。
【００７７】
このように、薬剤ポンプ４３は、入力プーリ４２に入力される回転動力により駆動すると共に薬剤を圧送する。
【００７８】
また、図９に示すように、調圧装置４４と薬剤タンク１５とが戻し配管４８を介して接続されている。これにより、調圧装置４４へ圧送された薬剤のうちの一部が、薬剤タンク１５へ戻される。
【００７９】
また、薬剤ポンプ４３と薬剤タンク１５とが攪拌配管４９を介して接続されている。そして、攪拌配管４９における薬剤タンク１５への接続部分には、第１攪拌部４９ａ及び第２攪拌部４９ｂが設けられている。
【００８０】
薬剤ポンプ４３は、薬剤を攪拌配管４９へ圧送することができる。薬剤ポンプ４３から攪拌配管４９へ圧送された薬剤は、第１攪拌部４９ａ及び第２攪拌部４９ｂから、薬剤タンク１５の内部へ放出される。これにより、薬剤タンク１５に貯留された薬剤が攪拌される。
【００８１】
〔複数の搬送管を支持するための構成〕
図４及び図１０に示すように、入力プーリ４２は、運転座席５１の下方に配置されている。そして、図１０及び図１１に示すように、薬剤散布機Ａは、管支持部９を備えている。
【００８２】
管支持部９は、運転座席５１の下方における入力プーリ４２よりも上側の空間に設けられている。また、管支持部９は、複数の搬送管４１を支持している。
【００８３】
この構成により、複数の搬送管４１は、運転座席５１の下方における入力プーリ４２よりも上側の空間を通る状態で配置されている。
【００８４】
詳述すると、管支持部９は、第１支持部９１及び第２支持部９２を有している。第１支持部９１及び第２支持部９２は、それぞれ、シートフレーム５３に溶接によって固定されている。
【００８５】
尚、シートフレーム５３は、機体フレーム１３に載置支持されている。また、シートフレーム５３は、運転座席５１を支持している。
【００８６】
第１支持部９１は、運転座席５１における左側部分の下方に位置している。また、第２支持部９２は、運転座席５１における右側部分の下方に位置している。
【００８７】
また、第１支持部９１は、入力プーリ４２の上方に配置されている。
【００８８】
図１０には、第１支持位置Ｓ１及び第２支持位置Ｓ２が示されている。第１支持位置Ｓ１は、第１支持部９１のうち、複数の搬送管４１の下部を受ける部分の機体上下方向の位置である。また、第２支持位置Ｓ２は、第２支持部９２のうち、複数の搬送管４１の下部を受ける部分の機体上下方向の位置である。
【００８９】
図１０に示すように、第１支持位置Ｓ１は、第２支持位置Ｓ２よりも低い。即ち、第１支持部９１の位置は、第２支持部９２の位置よりも低い。このように、機体上下方向において、第１支持部９１の位置と、第２支持部９２の位置と、は異なっている。
【００９０】
〔左操作レバー、中央操作レバー、右操作レバーの構成〕
図４、図６、図７に示すように、分水器８は、左操作レバー８４Ｌ（本発明に係る「操作レバー」に相当）、中央操作レバー８４Ｃ（本発明に係る「操作レバー」に相当）、右操作レバー８４Ｒ（本発明に係る「操作レバー」に相当）を有している。
【００９１】
左操作レバー８４Ｌは、左排出口８２Ｌの近傍に設けられている。また、中央操作レバー８４Ｃは、中央排出口８２Ｃの近傍に設けられている。また、右操作レバー８４Ｒは、右排出口８２Ｒの近傍に設けられている。
【００９２】
左操作レバー８４Ｌ、中央操作レバー８４Ｃ、右操作レバー８４Ｒは、それぞれ、機体左右方向に沿う揺動軸芯Ｐ周りに揺動することにより、第１姿勢と、第２姿勢と、の間で姿勢変更可能に構成されている。
【００９３】
図６及び図７では、第１姿勢の左操作レバー８４Ｌ、中央操作レバー８４Ｃ、右操作レバー８４Ｒが実線で示されている。また、第２姿勢の左操作レバー８４Ｌ、中央操作レバー８４Ｃ、右操作レバー８４Ｒが仮想線で示されている。
【００９４】
即ち、左操作レバー８４Ｌが第１姿勢であるとき、左操作レバー８４Ｌは機体前後方向に沿う姿勢である。また、左操作レバー８４Ｌが第２姿勢であるとき、左操作レバー８４Ｌは機体上下方向に沿う姿勢である。
【００９５】
また、中央操作レバー８４Ｃが第１姿勢であるとき、中央操作レバー８４Ｃは機体前後方向に沿う姿勢である。また、中央操作レバー８４Ｃが第２姿勢であるとき、中央操作レバー８４Ｃは機体上下方向に沿う姿勢である。
【００９６】
また、右操作レバー８４Ｒが第１姿勢であるとき、右操作レバー８４Ｒは機体前後方向に沿う姿勢である。また、右操作レバー８４Ｒが第２姿勢であるとき、右操作レバー８４Ｒは機体上下方向に沿う姿勢である。
【００９７】
ここで、左操作レバー８４Ｌは、左排出口８２Ｌに対応している。そして、左操作レバー８４Ｌが第１姿勢であるとき、左排出口８２Ｌから薬剤が排出される。また、左操作レバー８４Ｌが第２姿勢であるとき、左排出口８２Ｌからの薬剤の排出が停止される。
【００９８】
即ち、左操作レバー８４Ｌが第１姿勢であるとき、第１サイドブーム２１から薬剤が散布される。また、左操作レバー８４Ｌが第２姿勢であるとき、第１サイドブーム２１からの薬剤の散布が停止される。
【００９９】
また、中央操作レバー８４Ｃは、中央排出口８２Ｃに対応している。そして、中央操作レバー８４Ｃが第１姿勢であるとき、中央排出口８２Ｃから薬剤が排出される。また、中央操作レバー８４Ｃが第２姿勢であるとき、中央排出口８２Ｃからの薬剤の排出が停止される。
【０１００】
即ち、中央操作レバー８４Ｃが第１姿勢であるとき、中央ブーム２０から薬剤が散布される。また、中央操作レバー８４Ｃが第２姿勢であるとき、中央ブーム２０からの薬剤の散布が停止される。
【０１０１】
また、右操作レバー８４Ｒは、右排出口８２Ｒに対応している。そして、右操作レバー８４Ｒが第１姿勢であるとき、右排出口８２Ｒから薬剤が排出される。また、右操作レバー８４Ｒが第２姿勢であるとき、右排出口８２Ｒからの薬剤の排出が停止される。
【０１０２】
即ち、右操作レバー８４Ｒが第１姿勢であるとき、第２サイドブーム２２から薬剤が散布される。また、右操作レバー８４Ｒが第２姿勢であるとき、第２サイドブーム２２からの薬剤の散布が停止される。
【０１０３】
このように、分水器８は、左排出口８２Ｌ、中央排出口８２Ｃ、右排出口８２Ｒに対応する左操作レバー８４Ｌ、中央操作レバー８４Ｃ、右操作レバー８４Ｒを有している。
【０１０４】
〔薬剤ポンプを支持するための構成〕
図１１に示すように、薬剤ポンプ４３は、ポンプ支持フレーム３３に載置支持されている。そして、薬剤ポンプ４３の下端部は、複数の第１ボルトｂ１によって、ポンプ支持フレーム３３の上端部に締結されている。
【０１０５】
また、ポンプ支持フレーム３３は、第２ボルトｂ２及び第３ボルトｂ３によって、機体フレーム１３に固定されている。第２ボルトｂ２及び第３ボルトｂ３は、何れも、上下方向に延びている。
【０１０６】
第２ボルトｂ２は、ポンプ支持フレーム３３の前部に接している。そして、ポンプ支持フレーム３３の前部に作用する第２ボルトｂ２の支持力の方向は、ポンプ支持フレーム３３の前部を、機体フレーム１３から上方へ引き離す方向である。
【０１０７】
また、第３ボルトｂ３は、ポンプ支持フレーム３３の後部と、機体フレーム１３と、を連結している。そして、ポンプ支持フレーム３３の後部に作用する第３ボルトｂ３の支持力の方向は、ポンプ支持フレーム３３の後部を、機体フレーム１３へ向かって下方へ引っ張る方向である。
【０１０８】
ここで、図１１に示すように、駆動プーリ３１は、入力プーリ４２よりも下側に位置している。そのため、伝動ベルト３２から入力プーリ４２に、入力プーリ４２を下方へ引っ張る方向の応力が作用する。これにより、薬剤ポンプ４３には、薬剤ポンプ４３の前端部を下側へ回転させる方向のモーメントが作用する。
【０１０９】
しかしながら、このモーメントは、第２ボルトｂ２及び第３ボルトｂ３の支持力によって薬剤ポンプ４３に作用するモーメントにより、相殺される。
【０１１０】
これにより、薬剤ポンプ４３が安定的に支持される。
【０１１１】
以上で説明した構成によれば、支持ステー７２は、運転部フレーム７１に連結されている。そのため、運転部フレーム７１のうち、分水器８の近傍の部位から、分水器８まで延びるように支持ステー７２を構成することにより、支持ステー７２が比較的小さくなりやすい。その結果、製造コストの増大を抑制しやすい。
【０１１２】
即ち、以上で説明した構成であれば、製造コストの増大を抑制しやすい薬剤散布機Ａを実現できる。
【０１１３】
尚、以上に記載した実施形態は一例に過ぎないのであり、本発明はこれに限定されるものではなく、適宜変更が可能である。
【０１１４】
〔その他の実施形態〕
（１）上記実施形態における各部材は、左右方向における位置が逆であっても良い。例えば、第１支持部９１は、運転座席５１における右側部分の下方に位置していても良い。また、第２支持部９２は、運転座席５１における左側部分の下方に位置していても良い。
【０１１５】
（２）第１部位７４の上端部に形成される長孔７２ａの個数は、１つでも良いし、３つ以上のいかなる個数であっても良い。
【０１１６】
（３）左右の前輪１１及び左右の後輪１２に代えて、クローラが設けられていても良い。また、薬剤散布機Ａは、セミクローラ式であっても良い。
【０１１７】
（４）分水器８は、流入口８１から受け入れた薬剤流れを、２つの薬剤流れに分割するように構成されていても良いし、４つ以上の薬剤流れに分割するように構成されていても良い。
【０１１８】
（５）肥料散布部１６は設けられていなくても良い。
【０１１９】
（６）第１支持部９１の位置は、第２支持部９２の位置よりも高くても良い。また、機体上下方向において、第１支持部９１の位置と、第２支持部９２の位置と、は同一であっても良い。
【０１２０】
（７）左操作レバー８４Ｌが第２姿勢であるとき、左排出口８２Ｌから薬剤が排出されると共に、左操作レバー８４Ｌが第１姿勢であるとき、左排出口８２Ｌからの薬剤の排出が停止されるように構成されていても良い。
【０１２１】
（８）中央操作レバー８４Ｃが第２姿勢であるとき、中央排出口８２Ｃから薬剤が排出されると共に、中央操作レバー８４Ｃが第１姿勢であるとき、中央排出口８２Ｃからの薬剤の排出が停止されるように構成されていても良い。
【０１２２】
（９）右操作レバー８４Ｒが第２姿勢であるとき、右排出口８２Ｒから薬剤が排出されると共に、右操作レバー８４Ｒが第１姿勢であるとき、右排出口８２Ｒからの薬剤の排出が停止されるように構成されていても良い。
【０１２３】
（１０）左操作レバー８４Ｌ、中央操作レバー８４Ｃ、右操作レバー８４Ｒは、何れも設けられていなくても良い。
【０１２４】
（１１）管支持部９は、単一の部材により構成されていても良い。
【０１２５】
（１２）管支持部９は設けられていなくても良い。
【０１２６】
（１３）入力プーリ４２は、運転座席５１の下方以外の位置に配置されていても良い。例えば、入力プーリ４２は、運転座席５１の後方に配置されていても良いし、運転座席５１の前方に配置されていても良い。
【０１２７】
（１４）分水器８は、溶接によって支持ステー７２に固定されていても良い。
【０１２８】
（１５）支持ステー７２は、長孔７２ａを有していなくても良い。
【０１２９】
（１６）分水器８は、ボス部８３を有していなくても良い。
【０１３０】
（１７）ボス部８３の設けられる個数は、１つでも良いし、３つ以上のいかなる個数であっても良い。
【産業上の利用可能性】
【０１３１】
本発明は、薬剤を貯留する薬剤タンクと、薬剤を散布する薬剤散布部と、を備える薬剤散布機に利用可能である。
【符号の説明】
【０１３２】
２      薬剤散布部
４      薬剤搬送機構
８      分水器
９      管支持部
１４    運転部
１５    薬剤タンク
２０    中央ブーム（ブーム）
２１    第１サイドブーム（ブーム）
２２    第２サイドブーム（ブーム）
４１    搬送管
４２    入力プーリ
４３    薬剤ポンプ
５１    運転座席
７１    運転部フレーム
７２    支持ステー
７２ａ  長孔
７３    分水器固定ボルト
８１    流入口
８２Ｃ  中央排出口（排出口）
８２Ｌ  左排出口（排出口）
８２Ｒ  右排出口（排出口）
８３    ボス部
８３ａ  めねじ部
８４Ｃ  中央操作レバー（操作レバー）
８４Ｌ  左操作レバー（操作レバー）
８４Ｒ  右操作レバー（操作レバー）
９１    第１支持部
９２    第２支持部
Ａ      薬剤散布機
Ｐ      揺動軸芯
【図１】
2020150907.tif 000003
【図２】
2020150907.tif 000004
【図３】
2020150907.tif 000005
【図４】
2020150907.tif 000006
【図５】
2020150907.tif 000007
【図６】
2020150907.tif 000008
【図７】
2020150907.tif 000009
【図８】
2020150907.tif 000010
【図９】
2020150907.tif 000011
【図１０】
2020150907.tif 000012
【図１１】
2020150907.tif 000013